【手続補正書】
【提出日】平成27年1月21日(2015.1.21)
【手続補正１】
【補正対象書類名】特許請求の範囲
【補正対象項目名】全文
【補正方法】変更
【補正の内容】
【特許請求の範囲】
【請求項１】
記録装置を制御する制御データを生成して出力する記録制御部と、
前記記録装置との間で無線通信リンクを確立し、前記記録制御部に対する仮想ポートを開設し、前記記録装置と無線通信を行う通信制御部と、を備え、
前記通信制御部は、
前記記録装置の電源がオフされたことを示すデータを受信した場合、前記記録制御部に前記記録装置の電源がオフされたことを通知し、
前記記録制御部は、
前記通信制御部から前記記録装置の電源のオフされたことの通知を受けた場合、電源がオフされて通信不能とされた前記記録装置との間で無線通信リンクが確立するまでの間、前記通信制御部に前記記録装置との間での無線通信リンクの確立、及び、前記仮想ポートの開設の要求を行うことを特徴とする制御装置。
【請求項２】
前記記録制御部は、
前記通信制御部から前記記録装置の電源がオフされたことの通知を受けた場合、前記記録装置との間で無線通信リンクが確立するまでの間、
前記要求を所定の間隔で行う請求項１に記載の制御装置。
【請求項３】
前記通信制御部は、
前記データを受信したか否かを監視し、前記記録装置の電源がオフされたことを検出する請求項１又は２に記載の制御装置。
【請求項４】
前記通信制御部は、
前記データを受信した場合、前記仮想ポートを介して前記データを前記記録制御部に出力し、前記記録装置の電源がオフされたことの通知を行う請求項３に記載の制御装置。
【請求項５】
記録装置の電源がオフされたときに送信される前記記録装置の電源がオフされたことを示すデータを通信制御部で受信し、
前記記録装置の電源がオフされたことの通知を前記通信制御部から前記記録装置を制御する制御データを生成して出力する記録制御部に行い、
電源がオフされて通信不能とされた前記記録装置との間での無線通信リンクの確立、及び、前記記録制御部に対する仮想ポートの開設の要求を前記記録制御部から前記通信制御部へ行うことを特徴とする制御装置の制御方法。
【請求項６】
記録装置と無線通信可能な制御装置により実行されるプログラムであって、
前記制御装置を、
前記記録装置を制御する制御データを生成して出力する記録制御部と、
前記記録装置との間で無線通信リンクを確立し、前記記録制御部に対する仮想ポートを開設し、前記記録装置と無線通信を行う通信制御部と、として機能させ、
前記通信制御部として機能する前記制御部に、
前記記録装置の電源がオフされたこと示すデータを受信させ、前記記録制御部に前記記録装置の電源がオフされたことを通知させ、
前記記録制御部に、
前記通信制御部から前記記録装置の電源のオフされたことの通知を受けた場合、電源がオフされて通信不能とされた前記記録装置との間で無線通信リンクが確立するまでの間、前記通信制御部に対し、前記記録装置との間での無線通信リンクの確立、及び、前記仮想ポートの開設の要求を行わせることを特徴とするプログラム。
【請求項７】
制御データを出力する制御装置と無線通信をし、電源がオフされたときに電源がオフされたことを示すデータを送信する無線通信部と、
ロール紙に記録を行うヘッド、前記ロール紙を切断するカッターユニット、及び前記ロール紙を搬送する搬送機構を含むメカ機構を有し、
電源がオフされた後、オンされたときに初期処理がされることを特徴とする印刷装置。
【手続補正２】
【補正対象書類名】明細書
【補正対象項目名】発明の名称
【補正方法】変更
【補正の内容】
【発明の名称】制御装置、制御装置お制御方法、プログラム、及び、印刷装置
【手続補正３】
【補正対象書類名】明細書
【補正対象項目名】０００１
【補正方法】変更
【補正の内容】
【０００１】
本発明は、記録装置と無線通信可能な制御装置、当該制御装置の制御方法、当該制御装置を制御するためのプログラム、及び、印刷装置に関する。
【手続補正４】
【補正対象書類名】明細書
【補正対象項目名】０００５
【補正方法】変更
【補正の内容】
【０００５】
上記目的を達成するために、本発明の制御装置は、記録装置を制御する制御データを生成して出力する記録制御部と、前記記録装置との間で無線通信リンクを確立し、前記記録制御部に対する仮想ポートを開設し、前記記録装置と無線通信を行う通信制御部と、を備え、前記通信制御部は、前記記録装置の電源がオフされたことを示すデータを受信した場合、前記記録制御部に前記記録装置の電源がオフされたことを通知し、前記記録制御部は、前記通信制御部から前記記録装置の電源のオフされたことの通知を受けた場合、電源がオフされて通信不能とされた前記記録装置との間で無線通信リンクが確立するまでの間、前記通信制御部に前記記録装置との間での無線通信リンクの確立、及び、前記仮想ポートの開設の要求を行うことを特徴とする。
また、本発明の制御装置は、前記記録制御部は、前記通信制御部から前記記録装置の電源がオフされたことの通知を受けた場合、前記記録装置との間で無線通信リンクが確立するまでの間、前記要求を所定の間隔で行う。
また、本発明の制御装置は、前記通信制御部は、前記データを受信したか否かを監視し、前記記録装置の電源がオフされたことを検出する。
また、本発明の制御装置は、前記通信制御部は、前記データを受信した場合、前記仮想ポートを介して前記データを前記記録制御部に出力し、前記記録装置の電源がオフされたことの通知を行う。
また、本発明の制御装置の制御方法は、記録装置の電源がオフされたときに送信される前記記録装置の電源がオフされたことを示すデータを通信制御部で受信し、前記記録装置の電源がオフされたことの通知を前記通信制御部から前記記録装置を制御する制御データを生成して出力する記録制御部に行い、電源がオフされて通信不能とされた前記記録装置との間での無線通信リンクの確立、及び、前記記録制御部に対する仮想ポートの開設の要求を前記記録制御部から前記通信制御部へ行うことを特徴とする。
また、本発明は、記録装置と無線通信可能な制御装置により実行されるプログラムであって、前記制御装置を、前記記録装置を制御する制御データを生成して出力する記録制御部と、前記記録装置との間で無線通信リンクを確立し、前記記録制御部に対する仮想ポートを開設し、前記記録装置と無線通信を行う通信制御部と、として機能させ、前記通信制御部として機能する前記制御部に、前記記録装置の電源がオフされたこと示すデータを受信させ、前記記録制御部に前記記録装置の電源がオフされたことを通知させ、前記記録制御部に、前記通信制御部から前記記録装置の電源のオフされたことの通知を受けた場合、電源がオフされて通信不能とされた前記記録装置との間で無線通信リンクが確立するまでの間、前記通信制御部に対し、前記記録装置との間での無線通信リンクの確立、及び、前記仮想ポートの開設の要求を行わせることを特徴とする。
また、本発明の印刷装置は、制御データを出力する制御装置と無線通信をし、電源がオフされたときに電源がオフされたことを示すデータを送信する無線通信部と、ロール紙に記録を行うヘッド、前記ロール紙を切断するカッターユニット、及び前記ロール紙を搬送する搬送機構を含むメカ機構を有し、電源がオフされた後、オンされたときに初期処理がされることを特徴とする。
上記目的を達成するために、本発明は、記録装置と無線通信可能な制御装置であって、前記記録装置を制御するための制御データを生成し、出力する記録制御部と、前記記録装置との間で無線通信リンクを確立すると共に、前記記録制御部に対して仮想ポートを開設し、前記記録制御部から前記仮想ポートを介して入力された前記制御データを無線通信の規格に準拠して変換し、前記記録装置に無線により送信し、また、前記記録装置から無線により受信した受信データを前記仮想ポートを介して前記記録制御部に出力する通信制御部と、を備え、前記通信制御部は、前記記録装置の電源がオフされたことを検出した場合、前記記録制御部にその旨通知し、前記記録制御部は、前記通信制御部から前記記録装置の電源のオフの通知を受けた場合、前記記録装置との間で新たな無線通信リンクが確立するまでの間、前記通信制御部に対し、前記記録装置との間での当該新たな無線通信リンクの確立、及び、当該リンクの確立に伴う前記仮想ポートの開設を要求すること、を特徴とする。
この構成によれば、通信制御部は、記録装置の電源がオフされたことを検出した場合、記録制御部にその旨通知し、一方、記録制御部は、通信制御部から記録装置の電源のオフの通知を受けた場合、記録装置との間で無線通信リンクが確立するまでの間、記録装置との間での無線通信リンクの確立、及び、当該リンクの確立に伴う仮想ポートの開設を要求する。このため、電源オフ後オンされると、迅速に無線通信リンクの確立が試みられることとなり、記録装置におけるエラーの発生に伴って電源のオフ、オンがされた場合、電源のオン後、迅速に無線通信リンクを確立させることが可能となる。このため、エラーが発生した場合、電源のオフ、オンが行われることがある、という記録装置の特徴を利用して、記録装置との無線通信リンクを確立できる状況で、当該確立が行われない時間帯を減少できる。